(57)【要約】  【課題】  片手でページ押えが確実に行えるとともに、当該片手でページめくりが行えるページ押え具を提供する。  【解決手段】  ページ押え具１は、押し棒２１、軸棒２２、連繋棒２３，２４から成る四角形の枠体を有し、左手Ａで持って開いた本３０のページを押し棒２１で押える押え手段２０と、本３０の背３２に当てられる背当て１１ａに軸棒２２を回転自在に軸支する軸受１２，１３を有して、この軸受１２，１３を本３０の背３２に相対する位置に係着するとともに本を保護するブックカバー型の係着手段１０とを備え、左手Ａで押え手段２０を右に回して、押え手段２０の枠体に本３０の左ページ３３を潜らせ、押し棒２１を左から右に移し、押し棒２１で右ページ３４の天３６から地３７までを押える。次に、押え手段２０を逆の左に回して、枠体に左ページ３３を再び潜らせ、押し棒２１を右から左に移して、押し棒２１によるページ押えを解除する構成である。【選択図】  図２
2009184219.tif 000002
【特許請求の範囲】
【請求項１】
枠体を有し本のページを押える押え手段と、前記押え手段を回転自在に軸支する軸受を有し当該軸受を前記本に係着する係着手段とを備えるページ押え具であって、
前記押え手段を回して前記枠体に前記本を潜らせて、片手で持った前記本の開いたページのページ押えとページ押えの解除とを行う構成にしたことを特徴とするページ押え具。
【請求項２】
前記押え手段に回転力を与える廻し手段を設けたことを特徴とする請求項１に記載のページ押え具。
【請求項３】
前記係着手段をブックカバー型で構成したことを特徴とする請求項１に記載のページ押え具。
【請求項４】
前記係着手段の前記本の背に相対する位置に前記軸受を設けたことを特徴とする請求項１に記載のページ押え具。
【請求項５】
当該ページ押え具に広告手段を設けたことを特徴とする請求項１に記載のページ押え具。
【請求項６】
本類に請求項１に記載のページ押え具を用いて、前記本類のページを前記ページ押え具で押えることを特徴とするページ押え具を用いた本類。
【発明の詳細な説明】
【技術分野】
【０００１】
本発明は、本のページを開いた状態に保持するページ押え具に関する。
【背景技術】
【０００２】
従来のページ押え具として、片手で本を保持して当該片手でページをめくるページめくり器がある。（例えば、特許文献１参照）
図１５は、従来のページめくり器を示す斜視図である。このページめくり器では、本体部１０２を本１１０の所定のページ間でかつ綴じ部１２１の位置に挟み、本体部１０２の一端に設けられた掛止部１０３を、本１１０の天地方向における一端（天１２２）側に掛止する。また、本体部１０２の他端に設けられた掴持部１０４を、本１１０の他端（地１２３）側において左右いずれかの手によって本１１０の背部１２４を支持しつつ掴持する。
そして、支持部１０６によって、開いた本１１０の地１２３側でかつ綴じ部１２１の位置を基点１２６として任意方向に移動自在に支持された押当部１０５を、手の少なくとも一つの指（親指）によって操作し、開いた本１１０の左ページ１１０Ｌ又は右ページ１１０Ｒのいずれかに押し当て、当該押当部１０５が押し当てられたページを、背後のページに対してずらしつつ浮かせ、この浮いた隙間部に押当部１０５を挿し込むことによって、片手で本を保持して当該片手でページをめくることができる。
【０００３】
また、本が傷まないよう保護するとともに、ページ押えとしおりの機能を兼ねるブックカバーに装着固定のページ押え具がある。（例えば、特許文献２参照）
図１６は、従来のブックカバーに装着固定のページ押え具を示す斜視図である。このページ押え具では、厚手のブックカバー２０１の左扉２０３下部２０４中ほどに、固定バンド２０５の一端を固着し、他端内側に面ファスナー甲２０６を、上部２０７外側中ほどに面ファスナー乙２０６’を、ブックカバー中央のニ筋折れ２０２の下端に滑り止め２０８を設ける。右扉２０３’の右端２０９に、全体がほぼコの字形で、両端が任意な鍵形の押え部２１０，２１０’を備え、下部にバネ掛止部２１４を設ける。コの字形の縦棒２１１を鉛管状の物２１２の中に通したページ押え具本体２１３を、装着固定する。ページ押え具本体２１３のバネ掛止部２１４と右扉２０３’の下部に設けたバネ掛止部２１４’とに引きバネ２１５、伸縮自在なゴム等を掛止装着することによって、本が傷まないよう保護するとともに、ページ押えとしおりの機能を兼ねることができる。
【特許文献１】特開２００５−２１９４７３号公報
【特許文献２】特開平８−１３２７６０号公報
【発明の開示】
【発明が解決しようとする課題】
【０００４】
上記のページめくり器では、片手で本を保持して当該片手でページをめくるとき、本のページを部分的に押えているので、そのページ押えの確実性に不安がある。
また、ブックカバーに装着固定のページ押え具では、片手で本を保持して当該片手でページをめくることが困難である。
さらに、ページ押え具を用いた本類が見当たらない。
したがって本発明は、片手で持って開いた本のページ押えが確実に行えるとともに、当該片手でページめくりが行えるページ押え具およびそれを用いた本類を提供することを目的としている。また、ページ押え具を用いた本類を提供することを目的としている。
【課題を解決するための手段】
【０００５】
請求項１記載の本発明のページ押え具は、枠体を有し本のページを押える押え手段と、前記押え手段を回転自在に軸支する軸受を有し当該軸受を前記本に係着する係着手段とを備えるページ押え具であって、前記押え手段を回して前記枠体に前記本を潜らせて、片手で持った前記本の開いたページのページ押えとページ押えの解除とを行う構成にしたことを特徴とする。
請求項２記載の本発明は、請求項１に記載のページ押え具において、前記押え手段に回転力を与える廻し手段を設けたことを特徴とする。
請求項３記載の本発明は、請求項１に記載のページ押え具において、前記係着手段をブックカバー型で構成したことを特徴とする。
請求項４記載の本発明は、請求項１に記載のページ押え具において、前記係着手段の前記本の背に相対する位置に前記軸受を設けたことを特徴とする。
請求項５記載の本発明は、請求項１に記載のページ押え具において、当該ページ押え具に広告手段を設けたことを特徴とする。
請求項６記載の本発明のページ押え具を用いた本類は、本類に請求項１に記載のページ押え具を用いて、前記本類のページを前記ページ押え具で押えることを特徴とする。
【発明の効果】
【０００６】
本発明のページ押え具によれば、ページを開いた状態で本を持っている片手で、枠体を有する押え手段を左右に回し、その枠体に本を潜らせて、押え手段で本のページ押えとその解除を行うことにより、片手で保持した本のページ押えが確実に行えるとともに、当該片手でページめくりが行える。
また、押え手段に回転力を与える廻し手段を設けることにより、電車で揺られても、しっかりとした片手によるページ押えが行える。
また、軸受を本の背に相対する位置に設けることにより、ページ押え具の着いた本のカバン等からの円滑なる出し入れが行える。また、ページ押えとしおりの機能を兼ねることができる。
また、ページ押え具に広告手段を設けることにより、付加価値を高めることができる。
さらにまた、本発明のページ押え具を用いた本類によれば、本類のページ押えが確実に行えるとともに、しおりの機能を持たせることができる。
【発明を実施するための最良の形態】
【０００７】
本発明の第１の実施の形態によるページ押え具は、枠体を有し本のページを押える押え手段と、押え手段を回転自在に軸支する軸受を有し当該軸受を本に係着する係着手段とを備えるページ押え具であって、押え手段を回して枠体に本を潜らせて、片手で持った本の開いたページのページ押えとページ押えの解除とを行う構成にしたものである。
本実施の形態によれば、片手で持って開いた本のページ押えが確実に行えるとともに、当該片手でページめくりが行える。
本発明の第２の実施の形態は、第１の実施の形態によるページ押え具において、押え手段に回転力を与える廻し手段を設けたものである。本実施の形態によれば、廻し手段によってページを押え付ける力を増すことができ、例えば電車が揺れて片手保持のページ押えが不安定になった場合に、しっかりとしたページ押えが行える。
本発明の第３の実施の形態は、第１の実施の形態によるページ押え具において、係着手段をブックカバー型で構成したものである。本実施の形態によれば、軸受を係着する機能以外に本を保護する機能を付加することができる。また、折れ曲がりが自在であるので、簡単な構造で軸受を表紙などに係着することができる。
本発明の第４の実施の形態は、第１の実施の形態によるページ押え具において、係着手段の本の背に相対する位置に軸受を設けたものである。本実施の形態によれば、軸受が出っ張らないので、ページ押え具の着いた本のカバン等からの出し入れが円滑に行える。また、押え手段が本の紙間に挟まったままになるので、押え手段にページ押えとしおりの機能を兼ねさせることができる。
本発明の第５の実施の形態は、第１の実施の形態によるページ押え具において、当該ページ押え具に広告手段を設けたものである。本実施の形態によれば、付加価値を高めて販売促進に結びつけることができる。
本発明の第６の実施の形態によるページ押え具を用いた本類は、本類に請求項１に記載のページ押え具を用いて、本類のページをページ押え具で押えるものである。
本実施の形態によれば、本類のページ押えが確実に行えるとともに、当該片手でページめくりが行える。また、ページ押えとしおりの機能を兼ねさせることも可能である。
【実施例１】
【０００８】
以下、本発明の実施例１によるページ押え具について図面を参照して説明する。図１は、本発明の実施例１のページ押え具を示す斜視図であり、図２は、図1のページ押え具を本に装着した状態を示す斜視図である。
【０００９】
本実施例１のページ押え具１は、ブックカバー型のページ押え具である。
即ち、ページ押え具１は、本を保護するために当該本に装着されるブックカバー型の係着手段１０と、この係着手段１０により軸支されて本の開かれたページの紙面を押える押え手段２０とを備える。なお、「本の開かれたページの紙面を押える」の文意は、「本のページを押える」、「本のページ押えを行う」と同義とする。      
そして、係着手段１０は、本に被覆されるブックカバーの本体１１と、この本体１１の背当て１１ａの上端（本の天側）に設けられて押え手段２０の天側を軸支する軸受１２と、背当て１１ａの下端（本の地側）に設けられて押え手段２０の地側を軸支する軸受１３とから構成される。
【００１０】
本体１１は、一方の表紙（図中の手前の左表紙１１ｃ）と、他方の表紙（右表紙１１ｄ）と、本体１１の中央にある背当て１１ａと、背当て１１ａを挟む２本のニ筋折れ１１ｂとから成り、柔らかく折れ曲がり自在な部材、例えば合成樹脂フィルムや皮革などから作られている。
また、本体１１には、その一側端（右側端）にあって本の一方の表紙を入れる袋１１ｅと、他側端（左側端）にあって他方の表紙を挿し入れる縦帯１１ｆ及び本体１１を折り曲げた折り返し１１ｇとが形成されている。また、本体１１の表面には後述する広告手段１４が貼付されている。
なお、軸受１２，１３の中心線（図中のＸ−Ｘ線）は、背当て１１ａの縦方向中央線（図中のＺ−Ｚ線）と平行になっている。  
【００１１】
そして、ページ押え具１を本に装着した場合、背当て１１ａが本の背に当てられる。従って、軸受１２，１３を背当て１１ａに設けることは、係着手段１０により軸受１２，１３を本の背に相対する位置に係着することになる。換言すれば、係着手段１０の本の背に相対する位置に軸受１２，１３を設ける構成となる。このとき、軸受１２，１３の中心線（Ｘ−Ｘ線）は、本の背の縦方向中央線（図示せず）とも平行になる。  
なお、上記本体を例えば合成樹脂で作る場合、軸受も同種の合成樹脂で作り、軸受を本体に溶着する構成が望ましい。また本体が皮革製であれば、皮革製の軸受を本体に縫い付けるまたは接着する構成が良い。
【００１２】
一方、押え手段２０は、本の背の高さ（以下、背丈）を超える寸法を有し天側から地側までに亘ってページを押える押し棒２１と、背丈を超える寸法を有し押し棒２１に平行して並設する軸棒２２と、押し棒２１と軸棒２２のそれぞれの上端（天側端）同士を繋ぐ連繋棒２３と、押し棒２１と軸棒２２の下端（地側端）同士を繋ぐ連繋棒２４とを備える。即ち、押え手段２０は、押し棒２１、軸棒２２及び連繋棒２３，２４から成り、円形ではない略四角形の輪、即ち、略四角形の輪郭を有する枠体（以下、枠体）を形成している。        
そして、押え手段２０が自在に回転するよう、押え手段２０の軸棒２２は係着手段１０の軸受１２及び軸受１３に軸支されている。このとき、軸棒２２の回転中心線（Ｘ−Ｘ線と同一）の方向は、背当て１１ａの縦方向中央線（Ｚ−Ｚ線）の方向、並びに、図示していない本の背の縦方向中央線の方向と平行になっている。
また、押え手段２０に回転力を与える廻し手段２２ａを軸棒２２に設けている。この廻し手段２２ａは、例えば、軸受１２と軸受１３の間の軸棒２２を湾曲して形成される。
そして、押え手段２０の枠体が本を潜り抜けて回転し、押え手段２０の押し棒２１が開かれたページの天側から地側までを押える構成となっている。
【００１３】
次に、図1，図２を参照して、ページ押え具１の動作（ページ押え具の使い方）について説明する。
まず、本３０（例えば、縦書き右めくりの文庫本。以下、本）の右側の表紙を袋１１ｅに入れ、左側の表紙を縦帯１１ｆに入れ、かつ折り返し１１ｇを曲げて、本にページ押え具１を装着する。
そして、ページ押え具１が装着された本を、左手Ａ（以下、左手）の掌上に載せて持つ。
次に、左手の親指Ｂ（以下、左親指）で、本の左ページ３３（以下、左ページ）の前小口３１（表紙と中身）を押えるとともに、左手の中指・薬指等を係着手段１０の背当て１１ａ、すなわち本の背３２（以下、背）に当てる。そして、本の右ページ３４（以下、右ページ）を開いて、左の片手で本を保持する。このとき、二点鎖線で仮想表示した押し棒２１を左親指の上に載せた状態で、かつ本の持ち手側を適度に（逆Ｕ字形に）曲げた状態で、本は保持されている。
【００１４】
次に、左親指で左ページを押えながら、押え手段２０（の押し棒２１及び連繋棒２３，２４）を「左から右へ」回して、右ページ側（即ち、本の反持ち手側）へ移動させる。
この片手で行う押え手段２０の回転移動には、二通りの方法がある。  
（１）左手を捻るまたは傾けることにより、重力を利用して、回転移動させる。
（２）左手の指（中指など）で廻し手段２２ａに回転力を与えて、回転移動させる。
これらの方法の回転移動によって、押え手段２０の枠体に本の左ページ側（即ち、本の持ち手側）の前小口３１・天３６・地３７を潜らせて、押し棒２１を「左から右へ」移動させる。そして、右に移した押し棒２１で、右ページ側のページを押える。このとき、押し棒２１が右ページ側の前小口３５を潜り抜けることのない構成となっている。
【００１５】
続いて、ページをめくり再びページを押えるときの使い方について説明する。
左親指で左ページを押えつつ、押え手段２０を「右から左へ」回して、左ページ側へ移動させる。このときの右から左への回転移動は、前述の方法の逆動作で行えるので、その説明は省略する。
そして、押し棒２１を左親指の上に載せる。これによって、押し棒２１によるページ押えを解除することができる。
次に、左手で本を保持しながら、左親指をずらせて左ページを1枚めくり右側に移動させる。そうすると次ページが開かれる。その開かれた次ページの左側の前小口３１を左親指で押える。
最後に、左親指で左ページを押えつつ、前述と同様な動作で、本の左ページ側を押え手段２０の枠体に潜らせて、押し棒２１を左から右へ回転移動させる。そして、右に移した押し棒２１でめくられて右に移動させられたページを押える。
以上のようにページ押え具１を用いて、片手で、ページ押えとページめくりと再ページ押えを行って、本を読むことができる。
【００１６】
なお、揺れる車両などのように、押え手段２０の押し棒２１によるページ押えが不安定な場合は、押し棒２１のページを押える力が増えるように、廻し手段２２ａにページを押える方向の回転力を加えて、強くページを押える。これによってページ押えをよりしっかりとすることができる。
また、本の綴じ部あたりの文字が読みづらい場合は、廻し手段２２ａに回転力を与えて、押し棒２１によってページをより押し広げる。これによって綴じ部近傍の文字などを読み易くすることができる。
さらに、押し棒２１で隠されて文字などが読み難い場合は、本を曲げるまたは傾けるなどして、押し棒２１を適当に移動することが望ましい。
【００１７】
以上を纏めれば、ページの開いた本を持った片手で、枠体を有する押え手段を回し、その枠体の中に本の持ち手側を通して、押え手段を持ち手側から反持ち手側に移す。そして、移した押え手段で本の反持ち手側のページを天から地まで押える。その後、反対方向に本の持ち手側をその枠体の中に通して、押え手段を反持ち手側から持ち手側に移し変える。この移し変えにより、押え手段によるページ押えを解除してページめくりを行う。再び、持ち手側から反持ち手側に本の持ち手側を枠体に潜らせて、反持ち手側へ移した押し棒で、再び反持ち手側のページを押える。    
【００１８】
以上のように、本実施例のページ押え具１は、押し棒２１、軸棒２２、連繋棒２３，２４から形成される枠体を有し、左手Ａで持って開いた本３０のページを押し棒２１で押える押え手段２０と、本３０の背３２に当てられる背当て１１ａに押え手段２０の軸棒２２を回転自在に軸支する軸受１２，１３を有し、押え手段２０の回転中心線と背当て１１ａの縦方向中央線（即ち、本３０の背３２の縦方向中央線に相当）とを平行にして、その軸受１２，１３を本３０の背３２に相対する位置に係着する係着手段１０とを備える。
そして、左手Ａのみで押え手段２０を右に回して、押え手段２０の枠体に本３０の左ページ３３を潜らせ、押し棒２１を左から右に移して、押し棒２１で右ページ３４の天３６から地３７までを押える。次に、押え手段２０を逆方向の左に回して、枠体に左ページ３３を再び潜らせ、押し棒２１を右から左に移して、押し棒２１によるページ押えを解除する構成である。この構成によって、片手で持って開いた本のページ押えが確実に行えるとともに、当該片手でページめくりが行える。
【００１９】
なお、本実施例１では、左手用のページ押え具の例で説明したが、右手用のページ押え具として兼用できる。従って、左手用のみに限定するものではない。
また、本実施例のページ押え具１では、軸受１２，１３を背当て１１ａに設けている。この構成であれば、ページ押え具の着いた本をカバン等から出し入れする際に、軸受１２，１３がその出し入れ方向に出っ張っていないので、円滑に出し入れができるという利点がある。
また、軸受１２，１３を背当て１１ａに設ける構成は、本を閉じても押し棒２１が前小口３１，３５を潜り抜けないので、押し棒２１を本の紙間に挟んだままで残す。従って、押し棒２１がページ押えとしおりの機能を兼ねるという利点がある。
また、本実施例のページ押え具１では、係着手段１０をブックカバー型で構成しているので、軸受を係着する機能以外に本を保護する機能を付加することができる。換言すれば、ページ押え具１は、ページ押え機能付きブックカバーとも言える。
【００２０】
ここで、本実施例１の係着手段の係着条件について説明する。即ち、軸受に軸支された押え手段を回し、その枠体に本を潜らせかつページを押えるためには、どのような係わりで係着手段の軸受を本の背に相対する位置に着けるのか、その条件を明らかにする。  
図３は、図１のページ押え具を本に装着した状態を示す底面図である。掌上で展開した本に装着されているページ押え具を本の地側から視た図である。
【００２１】
図３において、本３０の背３２の中央は、Ｚ’−Ｚ’線上にある。そして、押え手段２０の回転中心である軸棒２２（軸受１３）の中心（図１のＸ−Ｘ線）と、係着手段１０の背当て１１ａの中央（図１のＺ−Ｚ線）も、Ｚ’−Ｚ’線上にある。従って、図１に示すＸ−Ｘ線及びＺ−Ｚ線と、図３に示すＺ’−Ｚ’線とは直交しているものとする。
そして、押え手段２０の回転半径（連繋棒２３，２４の長さに相当）をＲ寸法とする。また、回転中心から右ページ３４の前小口３５（表紙と中身）までの長さ（距離）をＲ１寸法とする。また、左ページ３３を適度に曲げた状態で本を保持しているときの、回転中心から左ページ３３の前小口３１（表紙と中身）までの長さ（距離）をＲ２寸法とする。
前述のように、押え手段２０の枠体は、左ページ３３の前小口３５を潜り抜けるが、右ページ３４の前小口３５を潜り抜けることはない。従って、ＲはＲ２より大きく、Ｒ１より小さくする必要がある。また、枠体に潜らせるために本を曲げるにしても限度がある。検討の結果、Ｒ２は、Ｒ１の半分（Ｒ１／２）くらいが妥当であることが判明している。
【００２２】
上記の関係を式で表すと次のように示される。
Ｒ１＞Ｒ＞Ｒ２≒Ｒ１／２    ・・・（式１）
【００２３】
上記（式１）の関係を満たすページ押え具の寸法について、文庫本の例で示す。
文庫本の大きさが、背丈１５２ｍｍ、横幅１０５ｍｍ、厚さ１２ｍｍとすれば、ブックカバーの寸法は、縦長１５６ｍｍ、横幅１０９ｍｍ、背当て１４ｍｍとなる。そして、軸受１２，１３の管径２．５ｍｍ×長さ３０ｍｍとし、押し棒２１等の棒径を１．２ｍｍとする。
この場合、Ｒ１寸法は１０５ｍｍとなり、Ｒ２寸法は５３ｍｍとなる。そして、Ｒ寸法を９２ｍｍと決める。そして、ページ押え具１の押し棒２１及び軸棒２２の縦長さを、１６２ｍｍとし、Ｒ寸法に相当する連繋棒２３，２４の横長さを９２ｍｍとするものである。
【００２４】
ところで、本実施例のページ押え具１は、軸受１２，１３をブックカバーの背当て１１ａの外側に設けたが、図４に示す実施例１の変形のページ押え具１ｃのような、軸受１２ｃ，１３ｃをブックカバーの背当て１１ｈの内側に設ける構成としても良い。
このような軸受を背当ての内側に設ける構成は、外側に設ける構成と比べて、軸受が出っ張らず、本の出し入れの邪魔にならないという利点を有する。
また、変形のページ押え具１ｃでは、押え手段２０ｃの軸棒２２ｃに廻し手段を設けない構成としている。このような構成は、本の出し入れを更に円滑にするので望ましい。  
【実施例２】
【００２５】
次に、本発明の実施例２として、背当て部材型のページ押え具について説明する。図５は、本発明の実施例２のページ押え具を示す斜視図であり、図６は、図５のページ押え具を本に装着した状態を示す斜視図である。
【００２６】
本実施例のページ押え具４は、本の背に装着固定される係着手段４０と、この係着手段４０に軸支されて回転し、片手で持って開いた本のページを押える押え手段２０とから構成される。
押え手段２０は、実施例１と同様に、押し棒２１と、廻し手段２２ａを有する軸棒２２と、天側の連繋棒２３と、地側の連繋棒２４とから成り、枠体を形成している。  
一方、係着手段４０は、掛止穴４１ａと係合溝４１ｂとを有し本の背に当てられる板状の背当て部材４１と、背当て部材４１の上端（天側）に設けた軸受４２と、背当て部材４１の下端（地側）に設けた軸受４３と、掛止穴４１ａに掛止する掛止玉４４ａと係合溝４１ｂに係合する係合玉４４ｂとを両端に有する挟持部材４４とから構成される。
【００２７】
そして、挟持部材４４を伸縮性・弾力性を有する例えば釣り糸用のてぐす糸で構成する。この挟持部材４４を、本の天３６側から開いたページの紙間３８に挿入し、地３７側まで伸ばして、係合玉４４ｂを係合溝４１ｂに引っ掛ける。この引っ掛けによって、背当て部材４１と挟持部材４４とを係合する。そして、この係合により、背当て部材４１と挟持部材４４との間に本の背（綴じ部）を挟持して、係着手段４０を本の背に係着する。
従って、係着手段４０の背当て部材４１が本の背に当てられ、背当て部材４１に設けられた軸受４２，４３が本の背に相対する位置に係着されることになる。  
また、掛止穴４１ａに挟持部材４４を通し、その掛止玉４４ａで止めて、挟持部材４４を背当て部材４１に掛止する構成となっている。
なお、挟持部材４４の係合玉４４ｂ側に紐輪４４ｃを設ける構成は、挟持部材３４の引張が容易で、背当て部材４１と挟持部材４４の係合が簡単になるので望ましい。また、背当て部材４１に軸受４２，４３を設ける場合、両者が金属であれば溶接またはろう付けする、また合成樹脂であれば溶着または接着する構成が望ましい。
【００２８】
本実施例２のページ押え具の動作（使い方）は、実施例１とほぼ同じである。
図６に示すように、背当て部材４１を本の背に当て、挟持部材４４を伸ばし、係合玉４４ｂを係合溝４１ｂに掛けて、係着手段４０を本の背に係着し、ページ押え具４を本に装着する。
ページ押え具４が装着された本を保持する左手を捻り、重力を利用して、左親指に載せた押え手段２０を回す。この回転により、押し棒２１が折り曲げた本の左ページの前小口３１を越え、同時に連繋棒２３，２４が左ページの天３６・地３７を越えて、押し棒２１が左ページから右ページに移る。そして、移動させた押し棒２１で右ページの天側から地側までを押え、ページ押えを行う。このとき、押し棒２１が右ページの前小口３５を越えることはない。
次に、押え手段２０の押し棒２１や連繋棒２３，２４を、折り曲げた本の前小口３１や天３６・地３７を越えさせて、右ページから左ページへ逆回転させる。この逆回転により、ページ押えを解除して、ページをめくる。そして、もう一度押え手段２０を左から右へ正回転させて、押え手段２０によるページ押えを再び行う構成となっている。
【００２９】
以上のように、本実施例のページ押え具４は、背当て部材４１・軸受４２，４３・挟持部材４４を有して、背当て部材４１と挟持部材４４とで本３０の背３２を挟み、その背３２に係着される係着手段４０と、押し棒２１・軸棒２２・連繋棒２３，２４を有して、当該押し棒２１で開いた本３０のページを押える押え手段２０とを備える。そして、軸受４２，４３により押え手段２０の軸棒２２を回転自在に軸支し、軸支された押え手段２０の押し棒２１・連繋棒２３，２４を、係着手段４０が係着された本の前小口３１・天３６・地３７を越えて左右に回転させ、ページの天３６側と地３７側とを押える押え手段２０によるページ押えとその解除を行うよう構成されている。この構成によって、片手で本を開いて持ち、本のページ押えとページめくりを行いながら読むことを可能とするページ押え具が提供される。
【００３０】
ところで、本実施例のページ押え具４では、軸受４２，４３を背当て部材４１の外側（外部）に設けたが、図７に示す実施例２の変形のページ押え具４ｃのような、軸受４２ｃ，４３ｃを背当て部材４１ｃの内部に設ける構成でも良い。例えば、背当て部材４１ｃに穴を穿ち、その穴を軸受４２ｃ，４３ｃとする構成である。
このような軸受を背当て部材の内部に設ける構成は、外部に設ける構成と比べて、軸受が出っ張らず、本の出し入れの邪魔にならないという利点を有する。
また、変形のページ押え具４ｃの押え手段２０に廻し手段２２ａを設ける場合は、廻し手段２２ａの高さを背当て部材４１ｃの厚さより小さい寸法とし、廻し手段２２ａが背当て部材４１ｃの表面より出っ張らない構成にするが望ましい。更に掛止玉４５と係合玉４６とを背当て部材４１ｃに埋め込む構成とし、本の出し入れを円滑にすることが望ましい。  
【実施例３】
【００３１】
次に、本発明の実施例３として、ブックカバー型の別のページ押え具について説明する。なお、本実施例３のページ押え具の基本とする構成及び動作は、実施例１とほぼ同じなので、異なる部分について記述し、その詳細な説明は省略する。図８は、本発明の実施例３のページ押え具を示す斜視図である。
【００３２】
本実施例３のページ押え具５は、本に取り付けられるブックカバー型の係着手段５０と、この係着手段５０によって軸支され回転してページを押える押え手段６０とを備える。
そして、係着手段５０は、ブックカバーの本体５１と、この本体５１の一方の表紙（左表紙５１ｃ）の上端（天側端）及び下端（地側端）のそれぞれに設けられて押え手段６０を軸支する軸受５２及び軸受５３とから構成される。
本体５１は、本体５１中央の背当て５１ａと、二箇所のニ筋折れ５１ｂと、左表紙５１ｃと、右表紙５１ｄとから成り、柔らかく折れ曲がり自在な部材から作られている。
また、押え手段６０の回転中心でもある軸受５２，５３の中心線（図中のＹ−Ｙ線）は、ニ筋折れ５１ｂに挟まれた背当て５１ａの中心線（図中のＺ−Ｚ線）に平行となっている。そして、Ｙ−Ｙ線はＺ−Ｚ線より、左表紙５１ｃ側にずれている。
さらに、本体５１には、その一方端（右端）に袋５５が形成され、他方端（左端）に袋５６が形成されている。これらの袋５５，５６に本の両表紙をそれぞれ入れることによって、ページ押え具５が本に装着される。
【００３３】
そして、本にページ押え具５を装着すると、係着手段５０の左表紙５１ｃが本の表紙に当てられる。このとき、柔らかい左表紙５１ｃが本の表紙に沿って折れ曲がり、軸受５２，５３が本の表紙に接する。従って、軸受５２，５３を左表紙５１ｃに設けることで、係着手段５０によって、軸受５２，５３を本の表紙に相対する位置に係着することができる。
また、背当て５１ａは本の背に当てられる。従って、Ｚ−Ｚ線は本の背の中心線（図示せず）に相当する構成となっている。
なお、袋５５の袋部分の長さ（袋深さ）Ｌ１寸法を、袋５６の袋部分の長さ（袋深さ）Ｌ２寸法より大きくする構成により、押え手段６０を回転させる操作のとき、表紙が袋（ブックカバー）から抜ける・外れることを防止することができる。
【００３４】
一方、押え手段６０は、本の背丈を超える寸法を有する押し棒６１と、押し棒６１に平行して設ける一方（天側）の軸棒６２ａ及び他方（地側）の軸棒６２ｂと、押し棒６１と軸棒６２ａとの天側端同士を繋ぐことにより本の天側を越えるように形成している連繋棒６３と、押し棒６１と軸棒６２ｂとの地側端同士を繋ぐことにより本の地側を越えるように形成している連繋棒６４とから構成される。
そして、軸棒６２ａは軸受５２により、また軸棒６２ｂは軸受５３によって、回転自在に軸支されている。  
さらに、押え手段６０は、軸棒６２ａと軸棒６２ｂとに二分割された、軸棒の中間が欠けている形状の枠体、即ち、略コの字形の輪郭を有する枠体と定義する該枠体を有する構成となっている。この枠体を有する押え手段６０の構成には、枠体を拡げて軸受に軸棒を嵌め込むことが容易であるという利点がある。  
なお、実施例１に示した廻し手段２２ａを本実施例の軸棒６２ａ，６２ｂに後付けする構成（図示せず）により、実施例１と同様の廻し手段２２ａの効果が得られる。
【００３５】
本実施例のページ押え具５の動作（使い方）は、実施例１や実施例２と同様であり、その説明を省略する。
【００３６】
以上のように、本実施例のページ押え具５は、押し棒６１や軸棒６２ａ，６２ｂ等で形成する枠体を有し、押し棒２１で本のページを押える押え手段６０と、軸棒６２ａ，６２ｂを回転自在に軸支する軸受５２，５３をブックカバーの表紙側に有し当該軸受５２，５３を本に係着するとともに本を保護するブックカバー型の係着手段５０とを備える。そして、片手で押え手段６０を右に回し、押え手段６０の枠体に本を潜らせて、押え手段６０で開かれたページの天側から地側までを押えてページ押えを行い、その後、押え手段６０を左に回し、その押え手段６０の枠体に本を潜らせて、ページ押えの解除を行う構成にしている。このような構成にすることにより、片手で本を開いて持ち、その掌上に開いた本のページ押えとページめくりとを行いながら、本を読むことができる。
【００３７】
ここで、前述の実施例１と同様に、本実施例３の係着手段の係着条件について説明する。即ち、どのような係わりで係着手段の軸受を本の表紙に相対する位置に着けるのか、その条件について記述する。
図９は、図８のページ押え具を本に装着した状態を示す底面図である。掌上で開いた本に取り付けられているページ押え具を本の地側から視た図である。
【００３８】
図９において、本３０の背３２の中央は、Ｚ’−Ｚ’線上にある。そして、押え手段６０の回転中心である軸棒６２ｂ（軸受５３）の中心は、図８に示すＹ−Ｙ線に直交するＹ’−Ｙ’線上にある。また、係着手段５０の背当て５１ａの中央は、図８に示すＺ−Ｚ線に直交するＺ’−Ｚ’線上にある。従って、回転中心は背当て５１ａ中央より左側にＲ３寸法ずれているとする。
そして、押え手段６０の回転半径（連繋棒６３，６４の長さに相当）をＲ寸法とする。また、Ｚ’−Ｚ’線から右側の前小口３５までの長さをＲ１寸法とする。なお、Ｚ’−Ｚ’線から左側の前小口３１までの長さもＲ１寸法である。
ページ押え具５においては、その押え手段６０が本の左ページ３３の前小口３１等（持ち手側）を潜り抜けて左から右に回転し、右ページ３４の前小口３５等（反持ち手側）を越えずにページを押えるよう構成されている。
従って、本の持ち手側を潜るには、押え手段６０の回転半径Ｒは、Ｒ１からＲ３を差し引いた寸法より大きくする必要がある。また、本の反持ち手側を越えずにページを押えるには、Ｒ３とＲとを加えた寸法より小さくする必要がある。
【００３９】
上記の関係を式で表すと次のように示される。
Ｒ１+Ｒ３＞Ｒ＞Ｒ１−Ｒ３      ・・・（式２）
【００４０】
なお、図５に示す実施例２のページ押え具４及び図７に示す変形のページ押え具４ｃにおいては、押え手段２０の回転中心が背当て部材４１，４１ｃ中央より若干ずれている。したがって厳密に言えば、これらのページ押え具では、そのずれが上記のＲ３に相当する寸法となり、（式２）の係着条件が適用される。
しかしながら、実施例１及び実施例２の説明では、上記ずれが小さく無視できるものとし、（式１）の係着条件が適用されるとしている。どちらを適用しても良い。
【００４１】
ところで、ブックカバーの本体を本革製とすれば、ページ押え具は高級感のある物となる。そして、ブックカバーなどに有名ブランドの商標や人気キャラクターのイラストを標示すれば、更に高級感が出る。そこで、ページ押え具の一ヶ所または複数ヶ所に商標やイラストなどを標示して、このページ押え具を効果的に宣伝する広告手段を設ける。
本実施例では、係着手段５０（の本体５１）の表面に著名なキャラクターを印刷したラベル５７を貼付し、広告手段としている。この広告手段を設けることにより、ページ押え具がキャラクターグッズの一つとなり、またファッショナブルでヤング向けの文具や、ブライダルの引き出物などになり、付加価値が高まり販売促進に繋がる。
なお、有名ブランドの商標や人気キャラクターのイラスト以外に、新しく作成したイラスト、宣伝コピー、商標、カラフルなデザインの標示等でも良い。また、本実施例のラベル貼付による広告手段以外に、ネームプレート取付による広告手段、表面などに直に印刷する・刻印する・焼き付ける等による広告手段なども可である。
【実施例４】
【００４２】
次に、本発明の実施例４として、押え手段の径方向や軸方向の長さを伸縮自在に調節することのできる長さ調節手段を有するページ押え具について説明する。ただし、本実施例４の構成及び動作は、実施例１〜実施例３と同様であり、異なる部分について記述し、その詳細な説明は省略する。図１０は、本発明の実施例４のページ押え具を示す平面図であり、図１１は、図１０のページ押え具における係着手段の部分を示す斜視図である。
【００４３】
本実施例４のページ押え具７は、本に取り付ける一方（天側）の係着手段７０ａ及び他方（地側）の係着手段７０ｂと、これらの係着手段７０ａ，７０ｂによって軸支される軸棒などから枠体を形成してページを押える押え手段８０とから構成される。
係着手段７０ａは、本の背に当てられる板状の背当て部材７１ａと、本の紙間（ノド）に挿入されて背当て部材７１ａとの間に本の背（綴じ部）を挟む棒状の挿入部材７２ａと、両端に係合部７４ａと軸受７５ａとを有し背当て部材７１ａと押え手段８０とを連結する棒状の連結部材７３ａとを備える。そして、連結部材７３ａの一端の係合部７４ａは背当て部材７１ａの係合穴７６ａと可動自在に係合し、他端の軸受７５ａは押え手段８０の一方（天側）を回転自在に軸支している。
同様に係着手段７０ｂは、本の背に当てられる背当て部材７１ｂと、背当て部材７１ｂとの間に本の背を挟む挿入部材７２ｂと、係合部７４ｂと軸受７５ｂとを有し背当て部材７１ｂと押え手段８０とを連結する連結部材７３ｂとを備える。係合部７４ｂは背当て部材７１ｂの係合穴７６ｂと可動自在に係合し、軸受７５ｂは押え手段８０の他方（地側）を回転自在に軸支している構成である。
【００４４】
上記のように、連結部材７３ａ，７３ｂの係合部７４ａ．７４ｂは、背当て部材７１ａ，７１ｂの係合穴７６ａ，７６ｂと可動自在に、即ち、回転や屈折が自在に係合している。従って、係着手段７０ａ，７０ｂが取り付けられている本を掌上に開いて保持するとき、連結部材７３ａ，７３ｂが本の表紙に沿って折れ曲がり、軸受７５ｂ，７５ｂが本の表紙に接する。従って、係着手段７０ａ，７０ｂによって、軸受７５ｂ，７５ｂを本の表紙に相対する位置に係着することができる。
ところで、前述実施例３のブックカバー型の係着手段５０の構成は、本実施例４の係着手段７０ａ，７０ｂの構成と比べて、簡略である。即ち、ブックカバーの構成要素の一つである柔らかい左表紙５１ｃを折れ曲げて、軸受５２，５３を本の表紙に係着する実施例３の構成は、連結部材７３ａ，７３ｂを折り曲げて、軸受７５ｂ，７５ｂを本の表紙に係着する本実施例４の構成より、構造が簡単になると言える。
【００４５】
また、前述の実施例３と同様に、Ｙ−Ｙ線は軸棒の回転中心線であり、Ｚ−Ｚ線は背当て部材７１ａ，７１ｂの縦方向中央線であり、回転中心線は縦方向中央線に平行である。また、回転中心線から縦方向中央線までの長さ（距離）は、実施例３のＲ３寸法と同じである。従って、本実施例４のページ押え具７においても、実施例３と同様に、（式２）の係着条件が適用される。
また、本を閉じたり開いたりするとき、連結部材７３ａ，７３ｂが本の表紙に沿って自在に折れ曲がり、本の開閉に対して邪魔とならない動きをする。このような構成であれば、ページ押え具の取扱性・収納性が向上する。
また、図１１に示すように、係着手段７０ｂの背当て部材７１ｂと挿入部材７２ｂとを、例えば合成樹脂の成形や板金のプレス加工により、一体形成することができる構成にすることにより、ページ押え具の製作性が向上する。
【００４６】
一方、押え手段８０は、天側の押し棒８１ａと、地側の押し棒８１ｂと、本の背丈を超える寸法の軸棒８２と、連繋棒８３と、連繋棒８４とから構成され、連繋棒８３，８４は、本の天側及び地側を超える構成となっている。なお、本実施例の押え手段８０は、押し棒８１ａと押し棒８１ｂとに二分割され、押し棒の中間が欠けている形状となっている。この押え手段８０は、押し棒の中間が欠けている形の枠体、即ち、略逆コの字形の輪郭を有する枠体と定義する該枠体を有していると見做す。
また、軸棒８２は、天側棒８２ａと、地側棒８２ｂと、これらの間に設けた軸方向の長さを調節することのできる長さ調節手段８６とから成っている。
また、連繋棒８３は、径方向の長さを調節することのできる長さ調節手段８７を備え、押し棒８１ａと軸棒８２（の天側棒８２ａ）とを天側端で繋いでいる。連繋棒８４は、径方向の長さを調節することのできる長さ調節手段８８を備え、押し棒８１ｂと軸棒８２（の地側棒８２ｂ）とを地側端で繋いでいる。  
【００４７】
なお、本実施例の押え手段８０の構成では、押し棒の中間が欠けていても、押し棒８１ａが天側の紙面を押え、押し棒８１ｂが地側の紙面を押えるので、しっかりとしたページ押えが行える。また、押し棒でページを押えても、文字隠れが防止できる。更に、押し棒に長さ調節手段を設けなくても、軸方向の長さを調節することができるという利点がある。
また、係着手段７０ａ，７０ｂが軸棒８２に沿って勝手に移動しないよう掛止する掛止手段（図示せず）を設けても良い。
【００４８】
ところで、押え手段８０の軸方向や径方向の長さを調節する長さ調節手段８６，８７，８８の構成としては、例えばラジオの棒状アンテナの構造や折り畳み傘に用いられている伸縮自在な構造（図示せず）が望ましい。そして、例えば文庫本から単行本に本の大きさが変わる場合に、軸棒８２や連繋棒８３，８４の長さを調節することによって、ページ押え具を本に対応させることができる。
また、挿入部材７２ａ，７２ｂを紙間に挿入するとき、長さ調節手段８６で軸棒８２の軸方向の長さを調節するとその挿入が容易である。
【００４９】
以上のように、本実施例４のページ押え具７は、押し棒８１ａ，８１ｂや軸棒８２等で形成する切れ目のある枠体を有し当該押し棒８１ａ，８１ｂで開いた本のページを押える押え手段８０と、押え手段８０の軸棒８２を回転自在に軸支する軸受７５ｂ，７５ｂを有し当該軸受７５ｂ，７５ｂを本の背に係着する係着手段７０ａ，７０ｂとを備える。
そして、軸受７５ｂ，７５ｂにより軸支された押え手段８０の押し棒８１ａ，８１ｂ及び連繋棒８３，８４を、本の前小口・天・地を越えて左右に回転させ、押し棒８１ａ，８１ｂでページの天側と地側とを押えるという押え手段８０によるページ押えとその解除を行う構成となっている。この構成によって、片手で保持し開いた本のページ押えが確実に行えるとともに、当該片手でページめくりが行えるページ押え具が提供される。    
【００５０】
そして、押え手段８０の径方向や軸方向の長さを調節する長さ調節手段８６，８７，８８を押え手段８０自体に設けることにより、本の大きさに応じてページ押え具７を共用することができる。
なお、実施例２のように係着手段が一体型であるページ押え具４の場合は、軸方向の長さを調節する長さ調節手段を係着手段４０に設けて、共用化を図る必要がある。本実施例のように係着手段７０ａ，７０ｂが二分割型であると、係着手段に長さ調節手段を設ける必要がなく、二分割型の係着手段の方が一体型に比べて構造が簡単になるという利点がある。
また、押え手段の径方向の長さを調節することにより、押し棒の押え位置をずらすことができる。これにより、必要に応じて押え方を変えることができ、より確実なるページ押えが行えるという利点がある。
【実施例５】
【００５１】
次に、本発明の実施例５について説明する。ただし、本実施例５の基本とする構成及び動作は、実施例３や実施例４と同様なので、異なる部分について記述し、その詳細な説明は省略する。図１２は、本発明の実施例５のページ押え具を示す斜視図である。
【００５２】
本実施例のページ押え具９は、係着手段９０と、押え手段９５とから構成される。
係着手段９０は、本の背に当てる背当て部材９１と、本の紙間に挿し込んで背当て部材９１との間に本の綴じ部（含む背）を挟む挿入部材９２と、係合部９３ａと軸受９３ｂとを有して係着手段９０と押え手段９５とを連結する連結部材９３とを備えている。
一方、押え手段９５は、押え棒９６と、連繋棒９７と、軸棒９８と、連繋棒９９とから枠体を形成している。そして、係合部９３ａは係着手段９０と可動自在に係合し、軸受９３ｂは軸棒９８と嵌合して押え手段９５を回転自在に支える構成となっている。  
なお、係着手段９０は、背当て部材９１及び挿入部材９２を線材から一体形成し、押え手段９５も、線材から一体形成する。また、連結部材９３は板材から形成する構成である。
このような構成であれば、ページ押え具の構造が簡単軽量になるという利点がある。
また、係着手段９０（の連結部材９３）が軸棒９８に沿って移動しないように、掛止手段９８ａを一ヶ所または二ヶ所に設ける構成でも良い。  
【００５３】
以上のように、本実施例のページ押え具９は、本に取り付ける係着手段９０と、枠体を形成して本のページを押える押え手段９５とを備え、係着手段９０により押え手段９５を回転自在に軸支し、押え手段９５を回し、本の前小口・天・地を押え手段９５が形成する枠体の中に通して、片手で持ちその手のひら上に開いた本のページ押えと、押えの解除とを行うよう構成したものである。この構成によっても、片手で持って開いた本のページ押えが確実に行えるとともに、当該片手でページめくりが行える。
【００５４】
なお、本実施例のページ押え具９では、係着手段が一つであるので、本に係着手段を取り付ける操作が簡単になるとともに、ページ押え具が軽量・小型になるという利点がある。  
また、ページ押え具９の使用中に、係着手段９０が本から抜けて外れることを防止するため、本の地側に係着手段を係着し、本を持つ掌でその係着手段を押えることが望ましい。ただし、掌で係着手段を押えることを守るならば、ページ押え具９は左手用なので、ページ押え具９の勝手違いである右手用のページ押え具を用いることが望ましい。
さらに、本実施例５の押え手段９５の構成を、略逆コの字形の押え手段とする構成（図示せず）や、Ｌ字形の押え手段とする構成（図示せず）でも可である。これらの構成であれば、押し棒による文字隠れが防止される、かつページ押え具が小型化されるという利点がある。
【実施例６】
【００５５】
次に、本発明の実施例６として、手帳に用いられるページ押え具について説明する。
なお、本実施例６のページ押え具の構成は、基本的には実施例１などと同じであり、その詳細な説明は省略する。図１３は、本発明の実施例６のページ押え具を示す斜視図であり、図１４は、図１３のページ押え具を手帳に装着した状態を示す斜視図である。
背の内側に設けた鉛筆用穴に細くて小さい鉛筆を挿入する手帳がある。この鉛筆の代わりに押え手段を挿入する構成としたものが本実施例６のページ押え具である。  
【００５６】
図１３及び図１４に示すように、本実施例のページ押え具３００は、枠体を形成し手帳３１０のページを押える押え手段３０５と、押え手段３０５を回転自在に軸支する軸受３０４を有し手帳３１０に係着する係着手段３０６とを備える。押え手段３０５は、棒３０１と軸棒３０２と連繋棒３０３とから成り、係着手段３０６は、軸受３０４から成る。そして、軸受３０４は、軸棒３０２を回転自在に軸支している。抜け防止具３０２ａは、軸受３０４から軸棒３０２が抜けることを防止する具である。なお、押え手段３０５は、略逆Ｌ字形の輪郭を有する枠体と定義する該枠体を有していると見做す。
そして、軸受３０４が手帳３１０の鉛筆用穴３１１に挿入される。このとき、軸受３０４と鉛筆用穴３１１は、しっくりと嵌め合わされる。すなわち、手帳３１０にページ押え具３００が回転自在に装着される構成である。  
なお、本実施例６のページ押え具の動作は、前述の実施例などから容易に類推可能であるので、その説明は省略する。
【００５７】
本実施例のページ押え具３００によって、手帳３１０のページ押えが確実に行えるとともに、当該片手でページめくりが行える。また、ページ押え具３００の着いた手帳３１０のカバン等からの出し入れが円滑に行える。さらに、押し棒３０１にページ押えとしおりの機能を兼ねさせることができる。
なお、軸受３０４を設けずに、軸棒３０２が直に鉛筆用穴３１１に軸支される構成、換言すれば、手帳３１０の鉛筆用穴３１１を軸受とし、この鉛筆用穴３１１自体がページ押え具３００の軸棒３０２を回転自在に軸支する構成であっても良い。
また、実施例１から実施例６までのページ押え具を、左手用のものとして説明したが、これらは線対称であるので、右手用のページ押え具としても用いることができる。
【００５８】
ところで、本、手帳、日記帳など（以下、本類）には、その表紙や背など（以下、表紙等）が厚手に作られているもの（例えば上製本）がある。このような厚手の表紙等に、ページ押え具を直に装着して本類を製作し、その本類のページをページ押え具で押えることは容易に可能である。言い換えれば、本類に実施例１などに記載のページ押え具を用いて、片手で持った本類の開いたページをページ押え具で押えることができる。
従って、本発明のページ押え具を用いた本類であっても、その本類のページ押えが確実に行えるとともに、当該片手でページめくりが行える。また、ページ押えとしおりの機能を兼ねさせることができる。
なお、上製本などの表紙は硬くて曲げることは困難である。このような表紙の硬い本類に装着されたページ押え具を用いる場合は、柔らかい本の中身を折り曲げて、中身のみを枠体に潜らせることになる。従って、本明細書及び特許請求の範囲に記載の押え手段の枠体に本を潜らせるの「本」は、「表紙及び中身」と「中身のみ」の二通りで定義するものである。  
【産業上の利用可能性】
【００５９】
本発明にかかるページ押え具は、片手で本を保持してその片手でページめくりが行えるとともに、本の開かれたページのページ押えが確実に行えるという効果を有し、本や手帳を読むときに本等のページを開いた状態に保持する器具等として有用である。
更に、また、これはすべての実施例につき言えることであるが、このページ押え具は片手で本を持ちながら、同時に他の片手を次ぎのような使い方が出来、便利である：−
・  電車の中で吊り革に掴まる。
・  教室で、黒板に文字を書く。
・  実験室や作業場で器具を扱う。
【図面の簡単な説明】
【００６０】
【図１】本発明の実施例１のページ押え具を示す斜視図
【図２】図1のページ押え具を本に装着した状態を示す斜視図
【図３】図１のページ押え具を本に装着した状態を示す底面図
【図４】実施例１の変形のページ押え具を示す斜視図
【図５】本発明の実施例２のページ押え具を示す斜視図
【図６】図５のページ押え具を本に装着した状態を示す斜視図
【図７】実施例２の変形のページ押え具を示す斜視図
【図８】本発明の実施例３のページ押え具を示す斜視図
【図９】図８のページ押え具を本に装着した状態を示す底面図
【図１０】本発明の実施例４のページ押え具を示す平面図
【図１１】図１０のページ押え具における係着手段の部分を示す斜視図
【図１２】本発明の実施例５のページ押え具を示す斜視図
【図１３】本発明の実施例６のページ押え具を示す斜視図
【図１４】図１３のページ押え具を手帳に装着した状態を示す斜視図
【図１５】従来のページめくり器を示す斜視図
【図１６】従来のブックカバーに装着固定のページ押え具を示す斜視図
【符号の説明】
【００６１】
１，１ｃ，４，４ｃ            ページ押え具
５，７，９，３００            ページ押え具
１０，４０，５０              係着手段
１１，５１                    本体
１１ａ，１１ｈ，５１ａ        背当て
１１ｂ，５１ｂ                二筋折れ
１１ｃ，５１ｃ                左表紙
１１ｄ，５１ｄ                右表紙
１１ｅ，５５，５６            袋
１１ｆ                        縦帯
１１ｇ                        折り返し
１２，１２ｃ，１３，１３ｃ    軸受
１４                          広告手段
２０，２０ｃ，６０            押え手段
２１，６１                    押し棒
２２，６２ａ，６２ｂ          軸棒
２２ａ                        廻し手段
２３，２４，６３，６４        連繋棒
３０                          本
３１，３５                    前小口
３２                          背
３３                          左ページ
３４                          右ページ
３６                          天
３７                          地
３８                          紙間
４１，４１ｃ                  背当て部材
４１ａ                        掛止穴
４１ｂ                        係合溝
４２，４２ｃ，４３，４３ｃ    軸受
４４                          挟持部材
４４ａ，４５                  掛止玉
４４ｂ，４６                  係合玉
４４ｃ                        紐輪
５２，５３                    軸受
５７                          ラベル
７０ａ，７０ｂ，９０          係着手段
７１ａ，７１ｂ，９１          背当て部材
７２ａ，７２ｂ，９２          挿入部材
７３ａ，７３ｂ，９３          連結部材
７４ａ，７４ｂ，９３ａ        係合部
７５ａ，７５ｂ，９３ｂ        軸受
７６ａ，７６ｂ                係合穴
８０，９５                    押え手段
８１ａ，８１ｂ，９６          押し棒
８２，９８                    軸棒
８２ａ                        天側棒
８２ｂ                        地側棒
８３，８４，９７，９９        連繋棒
８６，８７，８８              長さ調節手段
９８ａ                        掛止手段
３００                        ページ押え具
３０１                        押し棒
３０２                        軸棒
３０２ａ                      抜け防止具
３０３                        連繋棒          
３０４                        軸受          
３０５                        押え手段          
３０６                        係着手段          
３１０                        手帳
３１１                        鉛筆用穴
Ａ                          左手
Ｂ                          左手の親指
【図１】
2009184219.tif 000003
【図２】
2009184219.tif 000004
【図３】
2009184219.tif 000005
【図４】
2009184219.tif 000006
【図５】
2009184219.tif 000007
【図６】
2009184219.tif 000008
【図７】
2009184219.tif 000009
【図８】
2009184219.tif 000010
【図９】
2009184219.tif 000011
【図１０】
2009184219.tif 000012
【図１１】
2009184219.tif 000013
【図１２】
2009184219.tif 000014
【図１３】
2009184219.tif 000015
【図１４】
2009184219.tif 000016
【図１５】
2009184219.tif 000017
【図１６】
2009184219.tif 000018